(57)【要約】  一対のファスナーテープ２ａ、２ｂと、ファスナーテープ２ａ、２ｂの対向するテープ側縁部２１ａ、２１ｂに沿って配置されたファスナーエレメント３ａ、３ｂの列と、ファスナーエレメント３ａ、３ｂを噛合及び分離させるスライダー７と、ファスナーエレメント３ａ、３ｂの列の一端に一対のファスナーテープ２ａ、２ｂに配置された下止４と、ファスナーエレメント３ａ、３ｂの列の他端に配置された一対の上止６ａ、６ｂとを備えるスライドファスナー１であって、ファスナーエレメント３ａ、３ｂ、スライダー７、下止４、及び上止６ａ、６ｂの少なくともいずれかの表面上に設けられた凹状の収容部３２、４２、６２ａ、６２ｂ、７２ａ、７２ｂ、７２ｃと、収容部内に収容された装飾部品８と、収容部と一体形成され、収容部内に突出し、装飾部品８を収容部内に固定する固定部３３とを備えるスライドファスナーである。
2012049736.tif 000002
【特許請求の範囲】
【請求項１】
一対のファスナーテープ（２ａ、２ｂ）と、前記ファスナーテープ（２ａ、２ｂ）の対向するテープ側縁部（２１ａ、２１ｂ）に沿って配置されたファスナーエレメント（３ａ、３ｂ）の列と、前記ファスナーエレメント（３ａ、３ｂ）を噛合及び分離させるスライダー（７）と、前記ファスナーエレメント（３ａ、３ｂ）の列の一端に前記一対のファスナーテープ（２ａ、２ｂ）に配置された下止（４）と、前記ファスナーエレメント（３ａ、３ｂ）の列の他端に配置された一対の上止（６ａ、６ｂ）とを備えるスライドファスナー（１）であって、
前記ファスナーエレメント（３ａ、３ｂ）、前記スライダー（７）、前記下止（４）、及び前記上止（６ａ、６ｂ）の少なくともいずれかの表面（３００、４００、６００、７００）上に設けられた凹状の収容部（３２、４２、６２ａ、６２ｂ、７２ａ、７２ｂ、７２ｃ）と、
前記収容部（３２、４２、６２ａ、６２ｂ、７２ａ、７２ｂ、７２ｃ）内に収容された装飾部品（８、８ａ、８ｂ）と、
前記収容部（３２、４２、６２ａ、６２ｂ、７２ａ、７２ｂ、７２ｃ）と一体形成され、前記収容部（３２、４２、６２ａ、６２ｂ、７２ａ、７２ｂ、７２ｃ）内に突出し、前記装飾部品（８、８ａ、８ｂ）を前記収容部（３２、４２、６２ａ、６２ｂ、７２ａ、７２ｂ、７２ｃ）内に固定する固定部（３３、６３ａ、６３ｂ）と
を備えることを特徴とするスライドファスナー（１）。
【請求項２】
前記装飾部品（８、８ａ、８ｂ）が、その断面が最大径となる最大径部（８２）を境界として、前記最大径部（８２）よりも下方に位置する本体部（８１）と、前記本体部（８１）から上方に向かって先細り状になる表出部（８３）とを備え、
前記装飾部品（８、８ａ、８ｂ）の前記最大径部（８２）が、前記装飾部品（８、８ａ、８ｂ）が配置された前記ファスナーエレメント（３ａ、３ｂ）、前記スライダー（７）、前記下止（４）、及び前記上止（６ａ、６ｂ）の前記表面（３００、４００、６００、７００）よりも下方に配置されるように前記収容部（３２、４２、６２ａ、６２ｂ、７２ａ、７２ｂ、７２ｃ）内に固定されていることを特徴とする請求項１に記載のスライドファスナー（１）。
【請求項３】
前記装飾部品（８、８ａ、８ｂ）が、その断面が最大径となる最大径部（８２）を境界として、前記最大径部（８２）よりも下方に位置する本体部（８１）と前記本体部（８１）から上方に向かって先細り状になる表出部（８３）とを備え、
前記装飾部品（８、８ａ、８ｂ）の前記表出部（８３）の頂面（８３ａ）が、前記装飾部品（８、８ａ、８ｂ）が配置された前記ファスナーエレメント（３ａ、３ｂ）、前記スライダー（７）、前記下止（４）、及び前記上止（６ａ、６ｂ）の前記表面（３００、４００、６００、７００）と同一平面上にあるか、又は前記表面（３００、４００、６００、７００）よりも下方に配置されるように前記収容部（３２、４２、６２ａ、６２ｂ、７２ａ、７２ｂ、７２ｃ）内に固定されていることを特徴とする請求項１に記載のスライドファスナー（１）。
【請求項４】
前記装飾部品（８、８ａ、８ｂ）が、その断面が最大径となる最大径部（８２）を境界として、前記最大径部（８２）から下方に向かって先細り状となる本体部（８１）と、前記本体部（８１）と連続し、前記本体部（８１）から上方に向かって先細り状になる表出部（８３）とを備え、
前記収容部（３２、４２、６２ａ、６２ｂ、７２ａ、７２ｂ、７２ｃ）が、前記本体部（８１）を収容する第１の溝（３２１、４２１、６２１、７２１ａ、７２１ｂ）と、前記第１の溝（３２１、４２１、６２１、７２１ａ、７２１ｂ）の上方に前記第１の溝（３２１、４２１、６２１、７２１ａ、７２１ｂ）と連続し、前記表出部（８３）を収容する第２の溝（３２２、４２２、６２２、７２２ａ、７２２ｂ）とを備え、
前記固定部（３３、６３ａ、６３ｂ）が、前記第２の溝（３２２、４２２、６２２、７２２ａ、７２２ｂ）の側壁（３４、６４）から膨出して前記表出部（８３）の一部を覆っていることを特徴とする請求項１に記載のスライドファスナー（１）。
【請求項５】
前記装飾部品（８、８ａ、８ｂ）が、前記ファスナーエレメント（３ａ、３ｂ）及び前記上止（６ａ、６ｂ）のいずれかに配置される場合に、前記ファスナーエレメント（３ａ、３ｂ）及び前記上止（６ａ、６ｂ）内に埋設された前記ファスナーテープ（２ａ、２ｂ）の短手方向の長さが、前記収容部（３２、６２ａ、６２ｂ）の最大径の５０％未満である請求項１に記載のスライドファスナー（１）。
【請求項６】
前記装飾部品（８、８ａ、８ｂ）が、前記ファスナーエレメント（３ａ、３ｂ）及び前記上止（６ａ、６ｂ）のいずれかに配置される場合に、前記収容部（３２、６２ａ、６２ｂ）の中心軸上に前記ファスナーテープ（２ａ、２ｂ）が埋設されないように、前記ファスナーテープ（２ａ、２ｂ）が、前記収容部（３２、６２ａ、６２ｂ）の中心からずれて配置されることを含む請求項１に記載のスライドファスナー（１）。
【請求項７】
スライドファスナー（１）用の上止（６ａ、６ｂ）であって、
第１ファスナーテープ（２ａ）のテープ側縁部（２１ａ）上に配置され、表面（６００）上に形成された凹状の第１収容部（６２ａ）、前記第１収容部（６２ａ）内に収容された第１装飾部品（８ａ）、及び前記第１収容部（６２ａ）と一体化し、前記第１収容部（６２ａ）内から突出して前記第１装飾部品（８ａ）を固定する第１固定部（６３ａ）を備える樹脂製の第１上止（６ａ）と、
前記第１ファスナーテープ（２ａ）と対向する第２ファスナーテープ（２ｂ）のテープ側縁部（２１ｂ）上に配置され、表面（６００）上に形成された凹状の第２収容部（６２ｂ）、前記第２収容部（６２ｂ）内に収容された第２装飾部品（８ｂ）、及び前記第２収容部（６２ｂ）と一体化し、前記第２収容部（６２ｂ）内から突出して前記第２装飾部品（８ｂ）を固定する第２固定部（６３ｂ）を備える樹脂製の第２上止（６ｂ）と、
前記テープ側縁部（２１ｂ）上に配置され、前記第１ファスナーテープ（２ａ）のテープ側縁部（２１ａ）に沿って配置されたファスナーエレメント（３ａ）の列の中の最も前記第１上止（６ａ）側に近接するファスナーエレメント（３ａ）と対向し、前記第２の上止（６ｂ）と一体化して形成された止部（６１）と
を備えることを特徴とするスライドファスナー用の上止（６ａ、６ｂ）。
【請求項８】
前記第１上止（６ａ）の中心が、前記第１上止（６ａ）の内部に埋設された前記第１のファスナーテープ（２ａ）の先端よりも前記第２ファスナーテープ（２ｂ）側にずれて配置され、前記第２上止（６ｂ）の中心が、前記第２上止（６ｂ）の内部に埋設された前記第２のファスナーテープ（２ｂ）の先端よりも前記第１ファスナーテープ（２ａ）側にずれて配置されることを特徴とする請求項７に記載のスライドファスナー用の上止（６ａ、６ｂ）。
【請求項９】
一対のファスナーテープ（２ａ、２ｂ）と、前記ファスナーテープ（２ａ、２ｂ）の対向するテープ側縁部（２１ａ、２１ｂ）に沿って配置されたファスナーエレメント（３ａ、３ｂ）の列と、前記ファスナーエレメント（３ａ、３ｂ）を噛合及び分離させるスライダー（７）と、前記ファスナーエレメント（３ａ、３ｂ）の列の一端に前記一対のファスナーテープ（２ａ、２ｂ）に配置された下止（４）と、前記ファスナーエレメント（３ａ、３ｂ）の列の他端に配置された一対の上止（６ａ、６ｂ）とを備えるスライドファスナー（１）の製造方法であって、
前記ファスナーエレメント（３ａ、３ｂ）、前記スライダー（７）、前記下止（４）、及び前記上止（６ａ、６ｂ）の少なくともいずれかの表面（３００、４００、６００、７００）上に凹状の収容部（３２、４２、６２ａ、６２ｂ、７２ａ、７２ｂ、７２ｃ）を形成する工程と、
前記収容部（３２、４２、６２ａ、６２ｂ、７２ａ、７２ｂ、７２ｃ）内に装飾部品（８、８ａ、８ｂ）を収容する工程と、
前記収容部（３２、４２、６２ａ、６２ｂ、７２ａ、７２ｂ、７２ｃ）の一部を溶融させて前記収容部（３２、４２、６２ａ、６２ｂ、７２ａ、７２ｂ、７２ｃ）内に突出する固定部（３３、６３ａ、６３ｂ）を形成し、前記固定部（３３、６３ａ、６３ｂ）により、前記装飾部品（８、８ａ、８ｂ）を前記収容部（３２、４２、６２ａ、６２ｂ、７２ａ、７２ｂ、７２ｃ）内に固定させる工程と
を備えることを特徴とするスライドファスナーの製造方法。
【請求項１０】
前記前記収容部（３２、４２、６２ａ、６２ｂ、７２ａ、７２ｂ、７２ｃ）の一部を溶融させて前記収容部（３２、４２、６２ａ、６２ｂ、７２ａ、７２ｂ、７２ｃ）内に突出させた固定部（３３、６３ａ、６３ｂ）を形成する工程が、前記収容部（３２、４２、６２ａ、６２ｂ、７２ａ、７２ｂ、７２ｃ）に超音波振動を与えて前記収容部（３２、４２、６２ａ、６２ｂ、７２ａ、７２ｂ、７２ｃ）の一部を溶融させることを含む請求項９に記載のスライドファスナー（１）の製造方法。
【発明の詳細な説明】
【技術分野】
【０００１】
本発明は、スライドファスナーに関し、特に、スライドファスナーの構成部材上に装飾部品を配置したスライドファスナー、スライドファスナー用の上止及びスライドファスナーの製造方法に関する。
【背景技術】
【０００２】
スライドファスナーは、左右一対のファスナーテープの対向するテープ側縁部に取着した左右のエレメント列に、スライダーが挿入され、スライダーをエレメント列に沿って摺動させることにより、エレメント列を噛合又は分離させる。このようなスライドファスナーにおいては、ファスナーエレメント等の表面上に装飾部品を配置し、装飾性を持たせて美観を向上させることが行われてきている。例えば、特許第３１７６９３６号公報では、装飾性を持たせたエレメントが開示されている。ここではエレメントの表面に凹溝が設けられ、凹溝に飾り石を嵌め込むことが記載されている。【０００３】
しかしながら、特許第３１７６９３６号公報に記載された発明には、凹溝上に飾り石を嵌め込むための具体的方法は開示されていない。一方、装飾部品はスライドファスナー構成部材とは別個の部品で構成されているために、接続信頼性が弱く、使用によりスライドファスナーから抜け落ち意匠性を損ねる場合があった。
【先行技術文献】
【特許文献】
【０００４】
【特許文献１】特許第３１７６９３６号公報
【発明の概要】
【発明が解決しようとする課題】
【０００５】
本発明は、装飾部品とスライドファスナー構成部材とをより強固に接続でき、意匠性を向上させたスライドファスナー、スライドファスナー用の上止及びスライドファスナーの製造方法を提供する。
【課題を解決するための手段】
【０００６】
上記課題を解決するために、本発明は一側面において、一対のファスナーテープと、ファスナーテープの対向するテープ側縁部に沿って配置されたファスナーエレメントの列と、ファスナーエレメントを噛合及び分離させるスライダーと、ファスナーエレメントの列の一端に一対のファスナーテープに配置された下止と、ファスナーエレメントの列の他端に配置された一対の上止とを備えるスライドファスナーであって、ファスナーエレメント、スライダー、下止、及び上止の少なくともいずれかの表面上に設けられた凹状の収容部と、収容部内に収容された装飾部品と、収容部と一体形成され、収容部内に突出し、装飾部品を収容部内に固定する固定部とを備えるスライドファスナーが提供される。【０００７】
本発明に係るスライドファスナーは一実施形態において、装飾部品が、その断面が最大径となる最大径部を境界として、最大径部よりも下方に位置する本体部と、本体部から上方に向かって先細り状になる表出部とを備え、装飾部品の最大径部が、装飾部品が配置されたファスナーエレメント、スライダー、下止、及び上止の表面よりも下方に配置されるように収容部内に固定されている。【０００８】
本発明に係るスライドファスナーは別の一実施形態において、装飾部品が、その断面が最大径となる最大径部を境界として、最大径部よりも下方に位置する本体部と本体部から上方に向かって先細り状になる表出部とを備え、装飾部品の表出部の頂面が、装飾部品が配置されたファスナーエレメント、スライダー、下止、及び上止の表面と同一平面上にあるか、又は表面よりも下方に配置されるように収容部内に固定されている。【０００９】
本発明に係るスライドファスナーは更に別の一実施形態において、装飾部品が、その断面が最大径となる最大径部を境界として、最大径部から下方に向かって先細り状となる本体部と、本体部と連続し、本体部から上方に向かって先細り状になる表出部とを備え、収容部が、本体部を収容する第１の溝と、第１の溝の上方に第１の溝と連続し、表出部を収容する第２の溝とを備え、固定部が、第２の溝の側壁から膨出して表出部の一部を覆っている。【００１０】
本発明に係るスライドファスナーは更に別の一実施形態において、装飾部品が、ファスナーエレメント及び上止のいずれかに配置される場合に、ファスナーエレメント及び上止内に埋設されたファスナーテープの短手方向の長さが、収容部の最大径の５０％未満である。【００１１】
本発明に係るスライドファスナーは更に別の一実施形態において、装飾部品が、ファスナーエレメント及び上止のいずれかに配置される場合に、収容部の中心軸上にファスナーテープが埋設されないように、ファスナーテープが、収容部の中心からずれて配置されることを含む。【００１２】
本発明は別の一側面において、スライドファスナー用の上止であって、第１ファスナーテープのテープ側縁部上に配置され、表面上に形成された凹状の第１収容部、第１収容部内に収容された第１装飾部品、及び第１収容部と一体化し、第１収容部内から突出して第１装飾部品を固定する第１固定部を備える樹脂製の第１上止と、第１ファスナーテープと対向する第２ファスナーテープのテープ側縁部上に配置され、表面上に形成された凹状の第２収容部、第２収容部内に収容された第２装飾部品、及び第２収容部と一体化し、第２収容部内から突出して第２装飾部品を固定する第２固定部を備える樹脂製の第２上止と、テープ側縁部上に配置され、第１ファスナーテープのテープ側縁部に沿って配置されたファスナーエレメントの列の中の最も第１上止側に近接するファスナーエレメントと対向し、第２の上止と一体化して形成された止部とを備えるスライドファスナー用の上止が提供される。【００１３】
本発明に係るスライドファスナー用の上止は一実施形態において、第１上止の中心が、第１上止の内部に埋設された第１のファスナーテープの先端よりも第２ファスナーテープ側にずれて配置され、第２上止の中心が、第２上止の内部に埋設された第２のファスナーテープの先端よりも第１ファスナーテープ側にずれて配置される。【００１４】
本発明は更に別の一側面において、一対のファスナーテープと、ファスナーテープの対向するテープ側縁部に沿って配置されたファスナーエレメントの列と、ファスナーエレメントを噛合及び分離させるスライダーと、ファスナーエレメントの列の一端に一対のファスナーテープに配置された下止と、ファスナーエレメントの列の他端に配置された一対の上止とを備えるスライドファスナーの製造方法であって、ファスナーエレメント、スライダー、下止、及び上止の少なくともいずれかの表面上に凹状の収容部を形成する工程と、収容部内に装飾部品を収容する工程と、収容部の一部を溶融させて収容部内に突出する固定部を形成し、固定部により、装飾部品を収容部内に固定させる工程とを備えるスライドファスナーの製造方法が提供される。【００１５】
本発明に係るスライドファスナーの製造方法は一実施形態において、収容部の一部を溶融させて収容部内に突出させた固定部を形成する工程が、収容部に超音波振動を与えて収容部の一部を溶融させることを含む。
【発明の効果】
【００１６】
本発明によれば、装飾部品とスライドファスナー構成部材とをより強固に接続でき、意匠性を向上させたスライドファスナー、スライドファスナー用の上止及びスライドファスナーの製造方法が提供できる。
【図面の簡単な説明】
【００１７】
【図１】図１は、本発明の実施の形態に係るスライドファスナーの一例を示す概略図である。
【図２】図２は、図１のスライドファスナーの側面図である。
【図３】図３は、本発明の実施の形態に係るスライドファスナーの上止の一例を示す断面図である。
【図４】図４は、本発明の実施の形態に係るスライドファスナーの上止の一例を示す斜視図である。
【図５】図５は、本発明の実施の形態に係るスライドファスナーの上止に装飾部品を固定した後の状態を示す断面図である。
【図６】図６は、図５に示す上止の変形例である。
【図７】図７は、図５に示す上止の別の変形例である。
【図８】図８は、図５に示す上止の更に別の変形例である。
【図９】図９は、図５に示す上止の更に別の変形例である。
【図１０】図１０は、図５に示す上止の更に別の変形例である。
【図１１】図１１は、図５に示す上止の更に別の変形例である。
【図１２】図１２は、本発明の実施の形態に係るスライドファスナーのファスナーエレメントの一例を示す平面図である。
【図１３】図１３は、図１２のファスナーエレメントの一例を示す断面図である。
【図１４】図１４は、本発明の実施の形態に係るスライドファスナーの下止の一例を示す平面図である。
【図１５】図１５は、図１４の下止の一例を示す断面図である。
【図１６】図１６は、本発明の実施の形態に係るスライダーの引手の一例を示す平面図である。
【図１７】図１７は、図１６の引手のＡ−Ａ方向からみた一例を示す断面図である。
【発明を実施するための形態】
【００１８】
以下に、図面を参照して本発明の実施の形態を説明する。以下の図面の記載においては、同一又は類似の部分には同一又は類似の符号を付している。なお以下に示す実施の形態はこの発明の技術的思想を具体化するための装置や方法を例示するものであって、この発明の技術的思想は構成部品の構造、配置、材質等を下記のものに特定するものではない。
【００１９】
図１及び図２に示すように、本発明の実施の形態に係るスライドファスナー１は、一対のファスナーテープ２ａ、２ｂと、ファスナーテープ２ａ、２ｂの対向するテープ側縁部２１ａ、２１ｂに沿って配置されたファスナーエレメント３ａ、３ｂの列と、ファスナーエレメント３ａ、３ｂを噛合及び分離させるスライダー７と、ファスナーエレメント３ａ、３ｂの列の一端に一対のファスナーテープ２ａ、２ｂに跨って配置された下止４と、ファスナーエレメント３ａ、３ｂの列の他端に配置された一対の上止６ａ、６ｂとを備える。
【００２０】
なお、上記及び以下の説明においては、「ファスナーエレメント３ａ、３ｂの列の一端」とは、スライダー７をファスナーテープ２ａ、２ｂの長手方向に摺動させてスライドファスナー１を開く方向に向かう側の端部を意味する。「ファスナーエレメント３ａ、３ｂの列の他端」とは、スライダー７をファスナーテープ２ａ、２ｂの長手方向に摺動させてスライドファスナー１を閉じる方向に向かう側の端部を意味する。また、ファスナーテープ２ａ、２ｂの表裏方向を「上下方向」又は「高さ（深さ）方向」と定義する。即ち、本実施形態では、ファスナーテープ２ａ、２ｂの表面側を「上方」、ファスナーテープ２ａ、２ｂの裏面側を「下方」として説明する。
【００２１】
ファスナーテープ２ａ、２ｂは、合成繊維又は天然繊維により織成又は編成された帯状の材料が用いられ、長手方向に伸びるテープ側縁部２１ａ、２１ｂに沿って巻心５ａ、５ｂが配置されている。ファスナーエレメント３ａ、３ｂは、図２に示すように、ファスナーテープ２ａ、２ｂを中心としてファスナーテープ２ａ、２ｂの表裏面に対して略対称的な形状を有している。ファスナーエレメント３ａ、３ｂの具体的形状に特に制限はない。例えば図１２に示すように、ファスナーエレメント３ｂは、ファスナーテープ２ｂ上に固定された基部３５、基部３５から対向するファスナーテープ２ａ側に突出する首部３６、及び首部３６から更にファスナーテープ２ａ側に膨出する噛合頭部３７を備えている。図１に示すスライダー７が、ファスナーエレメント３ａ、３ｂ上を上下に摺動することで、ファスナーエレメント３ａ、３ｂの列を噛合又は分離することができる。
【００２２】
図２に示すように、スライダー７は、ファスナーエレメント３ａ、３ｂを内部に収容してファスナーエレメント３ａ、３ｂを噛合又は分離するためのスライダー胴体７１と、スライダー胴体７１の表面上に配置された引手保持部７４と、引手保持部７４に支持された引手７５を備える。下止４は、図１に示すように、ファスナーエレメント３ａ、３ｂの列の最下端付近に射出成形によって成形された部品であり、略方形の外形を有している。一方、上止６ａ、６ｂは、ファスナーエレメント３ａ、３ｂの列の最上端付近に射出成形によって成形された部品であり、図１においては、平面視が円状を有している。上止６ａ、６ｂは、ファスナーテープ２ａ、２ｂの表裏方向に、スライダー７の前口端（即ち、スライドファスナー１を閉じる方向側にあるスライダー７の端部）に入らない程度の高さを有して形成されている。下止４及び上止６ａ、６ｂの形は、図１に示す例に制限されず、様々な外形をとり得ることは勿論である。
【００２３】
ファスナーエレメント３ａ、３ｂ、スライダー７、下止４、及び上止６ａ、６ｂとしては、樹脂が用いられ、具体例としては、ポリアミド（ＰＡ）、ポリアセタール（ＰＯＭ）、ポリカーボネート（ＰＣ）、変性ポリフェニレンエーテル（ｍ−ＰＰＥ）、ポリブチレンテレフタレート（ＰＢＴ）、ポリエチレンテレフタレート（ＰＥＴ）、グラスファイバー強化ポリエチレンテレフタレート（ＧＦ−ＰＥＴ）、環状ポリオレフィン（ＣＯＰ）等を使用することができる。ファスナーエレメント３ａ、３ｂ、スライダー７、下止４、及び上止６ａ、６ｂの材料は、後述する超音波振動により溶融する材料であれば特に制限されず、例えば鉛、錫等の低融点金属であっても良い。
【００２４】
ファスナーエレメント３ａ、３ｂ、スライダー７、下止４、及び上止６ａ、６ｂの少なくともいずれかの表面３００、４００、６００、７００上には、装飾部品８が取り付けられる。例えば、上止６ａ、６ｂ上に装飾部品８が配置される例を説明する。図１に示すように、第１ファスナーテープ２ａの最上端のテープ側縁部２１ａ上には、樹脂製の第１上止６ａが配置される。第１ファスナーテープ２ａと対向する第２ファスナーテープ２ｂの最上端のテープ側縁部２１ｂ上には、第２上止６ｂが配置される。第１上止６ａは、表面６００上に形成された凹状の第１収容部６２ａと、第１収容部６２ａに収容された第１装飾部品８ａと、第１収容部６２ａと一体化し、第１収容部６２ａ内から突出して第１装飾部品８ａを固定する第１固定部６３ａとを備える。第２上止６ｂは、表面６００上に形成された凹状の第２収容部６２ｂと、第２収容部６２ｂに収容された第２装飾部品８ｂと、第２収容部６２ｂと一体化し、第２収容部６２ｂ内から突出して第２装飾部品８ｂを固定する第２固定部６３ｂとを備える。
【００２５】
図１及び図４に示すように、第２上止６ｂには、テープ側縁部２１ｂ上に配置され、ファスナーエレメント３ａの列の中の最も第１上止６ａに近接するファスナーエレメント３ａ（図示せず）と対向し、第２の上止６ｂと一体化して形成された止部６１が設けられる。止部６１のファスナーテープ２ｂの表裏方向の厚みは、ファスナーエレメント３ａ、３ｂと同等であり、止部６１のファスナーテープ２ｂの短手方向からみた長さは、ファスナーエレメント３ｂの基部３５の長さとほぼ同等である。止部６１が形成されることにより、スライダー７がファスナーエレメント３ａ、３ｂの列から外れることを防止でき、ファスナーテープ２ａ、２ｂを幅方向に引っ張った場合の強度も向上する。
【００２６】
図３に示すように、第１収容部６２ａは、上止６ａの下方（深さ方向）に行くに従って先細りする形状となる第１の溝６２１と、第１の溝６２１の上方に第１の溝６２１と連続し、表面６００と繋がる第２の溝６２２を備える。図５に示すように、装飾部品８が、その断面が最大径となる最大径部８２を境界として、最大径部８２よりも下方に位置する本体部８１と本体部８１から上方に向かって先細り状になる表出部８３とを備える場合、第１の溝６２１の内部には装飾部品８の本体部８１が収容され、第２の溝６２２の内部には表出部８３が収容される。図３に示すように、第１収容部６２ａの更に下方には、巻心５ａを先端に有するファスナーテープ２ａが埋設されている。本実施形態では、ファスナーテープ２ａ（巻心５ａ）の先端が、第１収容部６２ａの中心６２３（中心軸Ｃ）の直下にあるか、又は中心６２３（中心軸Ｃ）からずれて配置されることが好ましい。即ち、第１上止６ａの中心６２３（中心軸Ｃ）が、第１上止６ａの内部に埋設された第１のファスナーテープ２ａの先端の直下にあるか、又は先端よりも第２ファスナーテープ２ｂ側にずれて配置されることが好ましい。同様に、図１又は図４に示す第２上止６ｂの中心（図示せず）は、第２上止６ｂの内部に埋設された第２のファスナーテープ２ｂの先端にあるか、又は先端よりも第１ファスナーテープ２ａ側にずれて配置されることが好ましい。ファスナーテープ２ａ及び巻心５ａが中心軸Ｃからずれて配置されることにより、後述する製造方法において、装飾部品８を固定する際の振動が、ファスナーテープ２ａ又は巻心５ａに伝わりにくくなるため、装飾部品８の固定が短時間で済む。以下に制限されるものではないが、装飾部品８を効率的に固定するためには、ファスナーテープ２ａの先端（巻心５ａの先端）と中心Ｃとの幅方向（短手方向）のずれｄ４（図３参照）は、例えば０ｍｍ以上、好ましくは０〜１ｍｍ程度離間させることができる。
【００２７】
第１上止６ａ内に埋設されるファスナーテープ２ａの短手方向の長さｄ２は、第１収容部６２ａの最大径ｄ１の幅方向の長さの５０％以下、より好ましくは２５〜５０％であるのが好ましい。このような構成を採用することにより、装飾部品８を超音波振動で溶着固定させる場合に、超音波振動が、ファスナーテープ２ａ及び巻心５ａよりも第１上止６ａを構成する樹脂層に対してより効率的に伝わりやすくなるため、装飾部品８の固定をより短時間で効率的に行える。以下に制限されるものではないが、第１収容部６２ａの中心（最深部）６２３とファスナーテープ２ａ（巻心５ａ）の最上端との距離ｄ３は、一般的には０〜１ｍｍ程度とすることができる。図示及び詳細な説明は省略しているが、第２上止６ｂの第２収容部６２ｂも第１上止６ａと実質的に同等な構成が採用されることは勿論である。
【００２８】
装飾部品８としては、クリスタル、石、宝石等の宝飾を目的とする部材であれば特に制限されない。装飾部品８の形状も特に制限はない。例えば図５又は１０に示すように、装飾部品８は、その断面が最大径となる最大径部８２を境界として、最大径部８２から下方に向かって先細り状となる本体部８１と本体部８１から上方に向かって先細り状になる表出部８３とを備える形状（ダイヤモンド形）であっても構わない。図６に示すように、装飾部品８は、本体部８１が柱状で最大径部８２を境界に本体部８１から上方に向かって先細り状となる表出部８３を備える形状であっても構わない。図７又は８に示すように、装飾部品８は、断面が最大径となる最大径部８２から下方に向かって先細り状となる本体部８１を備える錐体形状であっても構わない。図９に示すように、装飾部品８は球状又は楕円球状であっても構わない。図１１に示すように、最大径部８２から上方に向かって先細り状となる表出部８３を備える形状であっても構わない。
【００２９】
装飾部品８とスナップファスナー構成部材（ファスナーエレメント３ａ、３ｂ、スライダー７、下止４、及び上止６ａ、６ｂ）の位置関係も特に制限されないが、例えば、装飾部品８の最大径部８２が、第１上止６ａの表面６００よりも下方に配置されるように、装飾部品８が収容部（第１収容部６２ａ）内に固定されるのが好ましい。これにより、装飾部品８が収容部内で安定し、抜け落ちにくくなる。
【００３０】
また、装飾部品８の表出部８３の頂面が、ファスナーエレメント３ａ、３ｂ、スライダー７、下止４、及び上止６ａ、６ｂの少なくともいずれかの表面３００、４００、６００、７００と同一平面上にあるか、又は表面３００、４００、６００、７００よりも下方に配置されるように、装飾部品８が、収容部３２、４２、６２ａ、６２ｂ、７２ａ、７２ｂ、７２ｃ内に固定されていても良い。即ち、図１０に示す例では、装飾部品８の表出部８３の頂面８３ａが第１上止６ａの表面６００と同一平面上としている。これにより、表出部８３が第１上止６ａの表面６００から突出する場合に比べて、外部接触による摩擦等の影響を受けにくくなるため、装飾部品８がスライドファスナー１から抜け落ちにくくなる。
【００３１】
装飾部品８を取り付ける際は、例えば図３に示す第１収容部６２ａ内に装飾部品８を配置する。その後、装飾部品８の上面から第１収容部６２ａを構成する樹脂層に対して２０ｋＨｚ程度、好ましくは２０〜４０ｋＨｚ程度の超音波振動を、超音波発信機を用いて装飾部品８の表面部に印加する。超音波振動の印加により、図５に示すように、装飾部品８の最大径部８２と対向する第１収容部６２ａの第１の溝６２１と第２の溝６２２の境界付近の樹脂が溶融し、第１収容部６２ａ内の第２の溝６２２の側壁６４から樹脂が膨出して表出部８３の一部を覆う固定部６３ａ（第１固定部）が形成される。固定部６３ａは、第１上止６ａを構成する樹脂を一部溶融させて一体化して形成されているため、表出部８３上に別個の部材で固定する場合よりも装飾部品８が外れにくくなり、装飾部品８とスライドファスナー構成部材とをより強固に接続できる。更に、超音波振動で樹脂を溶出させることで、容易且つ効率的に装飾部品８を固定できる。固定部６３ａは、表出部８３のごく一部を覆うだけであるため、装飾部品８の外観を損ねず、意匠性も向上する。
【００３２】
図１２及び図１３は、装飾部品８をファスナーエレメント３ｂに取り付ける場合の例を示している。基部３５の表面３００上には、収容部３２が配置されている。図１３に示すように、収容部３２は、第１の溝３２１と第１の溝３２１の上方に第１の溝３２１と連続する第２の溝３２２を有している。ファスナーエレメント３ｂの下方には、ファスナーテープ２ｂ及びその先端に設けられた巻心５ｂが埋設されている。基部３５内に埋設されるファスナーテープ２ｂの短手方向の長さは、収容部３２の最大径の５０％未満であることが好ましい。また、ファスナーテープ２ｂの先端（巻心５ｂの先端）が、収容部３２の中心を避けて配置されることが好ましい。収容部３２内に、図５に示すような装飾部品８を配置する場合には、第１の溝３２１内に本体部８１を収容させ、第２の溝内３２２に表出部８３を収容させた後、装飾部品８に超音波振動を印加することにより、第１の溝３２１と第２の溝３２２の境界部（第２の溝３２２の側壁３４）から基部３５を構成する樹脂を溶融突出させて装飾部品８の一部を覆う固定部（図示せず）を形成する。
【００３３】
図１４及び図１５は、装飾部品８を下止４に取り付ける場合の例を示している。下止４の表面４００上には収容部４２が配置されている。図１５に示すように、収容部４２は、第１の溝４２１と第１の溝４２１の上方に第１の溝４２１と連続する第２の溝４２２を有している。下止４の下方には、ファスナーテープ２ａ、２ｂ及びそれらの先端に設けられた巻心５ａ、５ｂが埋設されている。図１５に示す場合においても、ファスナーテープ２ａ、２ｂの先端（巻心５ａの先端）が、収容部４２の中心を避けて配置されることが好ましい。収容部４２内に、図５に示すような装飾部品８を配置する場合には、第１の溝４２１内に本体部８１を収容させ、第２の溝内４２２に表出部８３を収容させた後、装飾部品８及び下止４に超音波振動を印加することにより、第１の溝４２１と第２の溝４２２の境界部（第２の溝４２２の側壁４４付近）から下止４を構成する樹脂を溶融突出させて装飾部品８の一部を覆う固定部（図示せず）を形成する。
【００３４】
図１６及び図１７は、装飾部品８をスライダー７の引手７５に取り付ける場合の例を示している。引手７５の表面７００上には収容部７２ａ、７２ｂ、７２ｃが配置されている。図１７に示すように、収容部７２ａ、７２ｂは、第１の溝７２１ａ、７２１ｂと第１の溝７２１ａ、７２１ｂの上方に第１の溝７２１ａ、７２１ｂと連続する第２の溝７２２ａ、７２２ｂを有している。引手７５に、図５に示すような装飾部品８を配置する場合には、第１の溝７２１ａ、７２１ｂ内に本体部８１を収容させ、第２の溝内７２２ａ、７２２ｂに表出部８３を収容させた後、装飾部品８及び引手７５に超音波振動を印加することにより、第１の溝７２１ａ、７２１ｂと第２の溝７２２ａ、７２２ｂの境界部から下止４を構成する樹脂を溶融突出させて装飾部品８の一部を覆う固定部（図示せず）を形成する。
【００３５】
上記のように本発明の実施の形態を記載したが、この開示の一部をなす論述及び図面は、この発明を限定するものであると理解すべきではない。例えば、本実施形態では、ファスナーテープ２ａ、２ｂの表面側を「上方」、ファスナーテープ２ａ、２ｂの裏面側を「下方」として、宝飾部品８が、ファスナーエレメント３ａ、３ｂ、スライダー７、下止４、及び上止６ａ、６ｂのファスナーテープ２ａ、２ｂの表面側に形成された例を示している。しかしながら、宝飾部品８は、ファスナーテープ２ａ、２ｂの裏面側に配置されてもよいことは勿論である。この場合は、ファスナーテープ２ａ、２ｂの裏面側が「上方」、ファスナーテープ２ａ、２ｂの表面側が「下方」となることは、当業者であれば容易に理解可能であろう。このように、本発明はここでは明示していない様々な態様を含むことは勿論であり、実施段階においてはその要旨を逸脱しない範囲において変形して具体化され得る。
【符号の説明】
【００３６】
１…スライドファスナー
２ａ、２ｂ…ファスナーテープ
３ａ、３ｂ…ファスナーエレメント
４…下止
５ａ、５ｂ…巻心
６ａ、６ｂ…上止
７…スライダー
８、８ａ、８ｂ…装飾部品
２１ａ、２１ｂ…テープ側縁部
３２、４２、６２ａ、６２ｂ、７２ａ、７２ｂ、７２ｃ…収容部
３３、６３ａ、６３ｂ…固定部
３４、４４、６４…側壁
６１…止部
７１…スライダー胴体
７４…引手保持部
７５…引手
８１…本体部
８２…最大径部
８３…表出部
８３ａ…頂面
３００、４００、６００、７００…表面
３２１、４２１、６２１、７２１ａ、７２１ｂ…第１の溝
３２２、４２２、６２２、７２２ａ、７２２ｂ…第２の溝
【図１】
2012049736.tif 000003
【図２】
2012049736.tif 000004
【図３】
2012049736.tif 000005
【図４】
2012049736.tif 000006
【図５】
2012049736.tif 000007
【図６】
2012049736.tif 000008
【図７】
2012049736.tif 000009
【図８】
2012049736.tif 000010
【図９】
2012049736.tif 000011
【図１０】
2012049736.tif 000012
【図１１】
2012049736.tif 000013
【図１２】
2012049736.tif 000014
【図１３】
2012049736.tif 000015
【図１４】
2012049736.tif 000016
【図１５】
2012049736.tif 000017
【図１６】
2012049736.tif 000018
【図１７】
2012049736.tif 000019
【国際調査報告】
2012049736.tif 000020
2012049736.tif 000021
2012049736.tif 000022
2012049736.tif 000023